(57)【要約】      （修正有）【課題】軽く身体動作によく追従して作業性のよい耐刃防御部材及び耐刃防御衣料。【解決手段】耐刃板の連結手段に特長がある。耐刃板の連結領域３では、連結孔を設けた耐刃板１をそれぞれ所定の位置に配列し、耐刃板の連結孔に連通する連結孔を設けたジョイントワッシャ６を重ね、耐刃板に対応する連結端部を形成したジョイントを耐刃板側にあてがい、連結端部を連通する連結孔に挿通して折り曲げ、耐刃板を相互に繋ぎ止める。好ましくはワッシャを耐刃板と一体に形成する。耐刃板はその周縁を重ねて碁盤の目状に配列し、交叉する位置を連結領域として耐刃板同士の重なる部分を切除し、先端を連結端とする十字形のジョイントを用いて耐刃板を相互に連結する。切除部分はワッシャ及び／又はジョイントで覆って耐刃防御する。軽く連結領域での耐刃性が増大する。【選択図】  図１
2006125796.tif 000002
【特許請求の範囲】
【請求項１】
耐刃材料によって製作された角形の耐刃板（１）を複数枚、隣り合う耐刃板と周縁部（２）を重ねて配列し連結されてなる耐刃防御部材であって、耐刃板が連結されている領域（３）が、互いに連結するための連結孔（４）を設けた耐刃板をそれぞれ所定の位置に配列し、配列された耐刃板の連結孔に連通する連結孔（５）を設けたジョイントワッシャ（６）を重ね、さらに前記耐刃板に対応する数の連結端部（７）を形成した板状のジョイント（８）を耐刃板側にあてがって、前記連結端部をそれぞれに対応する耐刃板及びジョイントワッシャの連結孔に挿通して折り曲げ、耐刃板を相互に繋ぎ止めることによって、ジョイント、各耐刃板及びジョイントワッシャが、所要の重ね代を保持し平面的な隙間を生じさせないでルーズに連結されて構成されている、ことを特徴とする耐刃防御部材。
【請求項２】
耐刃板をそれぞれ所定の位置に表裏の２層（９，１０）に区別して配列し、さらに前記耐刃板に対応する数の連結端部（１１）を形成した板状のジョイント（１２）を前記２層に区別された耐刃板の間に挟んであてがい、前記２層に区別された耐刃板の連結孔のそれぞれにに連通する連結孔を設けたジョイントワッシャ（１３，１４）を耐刃板の外面側に重ね、前記連結端部をそれぞれに対応する耐刃板及びジョイントワッシャの連結孔に挿通して折り曲げ、耐刃板を相互に繋ぎ止めることによって、ジョイント、各耐刃板及びジョイントワッシャが、所要の重ね代を保持し平面的な隙間を生じさせないでルーズに連結されて構成されている、ことを特徴とする請求項１に記載の耐刃防御部材。
【請求項３】
同じ耐刃板連結領域又は層内において、連結されるいずれかの耐刃板の連結部が前記のジョイントワッシャと一体化して板状に形成され（１６）、他の耐刃板に一体化されたジョイントワッシャ部分（１５）をあてがって配列され連結されていることを特徴とする、請求項１又は２に記載の耐刃防御部材。
【請求項４】
角形の耐刃板が、角の部分を連結部として相互に連結されていることを特徴とする請求項１、２又は３に記載の耐刃防御部材。
【請求項５】
前記の耐刃板連結領域において、耐刃板の互いに重なり合う部分の一部又は全部が、切除されていることを特徴とする請求項１〜４のいずれかに記載の耐刃防御部材。
【請求項６】
ジョイントが、先端部を連結端とする矩形、Ｌ字形、Ｔ字形、十字形及び／又は放射状の板状体であることを特徴とする請求項１〜５のいずれかに記載の耐刃防御部材。
【請求項７】
耐刃板が、実質的に碁盤の目状に配列されていることを特徴とする請求項１〜６のいずれかに記載の耐刃防御部材。
【請求項８】
耐刃板の周縁に沿ってリブ（１７ｂ）が設けられていることを特徴とする、請求項１〜７のいずれかに記載の耐刃防御部材。
【請求項９】
耐刃板の中央部に段差を付けた台地状の領域（１８）が設けられていることを特徴とする、請求項１〜８のいずれかに記載の耐刃防御部材。
【請求項１０】
所要の方向に曲げ加工を施された耐刃板が配列されていることを特徴とする、請求項１〜９のいずれかに記載の耐刃防御部材。
【請求項１１】
耐刃板、ジョイントワッシャ及び／又はジョイントが、チタン、チタン合金、アルミニウム合金、及びステンレス鋼の中から選ばれた１種又は複数種の耐刃素材からなることを特徴とする、請求項１〜１０のいずれかに記載の耐刃防御部材。
【請求項１２】
請求項１〜１１のいずれかに記載の耐刃防御部材が、身体形状に沿った滑らかな曲面を形成して配列され繋ぎ止められていることを特徴とする、耐刃防御衣料。
【請求項１３】
耐刃防御衣料の周縁に沿って耐刃板にリブ（１７ａ）が設けられていることを特徴とする、請求項１２に記載の耐刃防御衣料。
【発明の詳細な説明】
【技術分野】
【０００１】
本発明は、主として他人からの刀剣・刃物類による攻撃の危険から身体を防御するために使用する耐刃防御部材、及びそれを用いた耐刃防御衣料に関する。本発明において「耐刃防御部材」は、複数の耐刃板を連結してなる部材をいう。
【背景技術】
【０００２】
警察官やガードマンは、犯罪者や不審者からの刃物による攻撃に対して身の安全を保つため、必要に応じ耐刃防御部材を使用した衣料を着用して職務に従事する。耐刃防御部材は、各種刃物によるあらゆる方向からの攻撃に耐えると共に、警察官等の職務行動に支障をきたすことのない機動性と、長時間着用にも着用快適性とを損なわない部材が求められる。耐刃防御部材は、耐刃性と着用者の機動性・快適性を保つために、一般に耐刃性をもった適宜の大きさの複数の耐刃板を構成ユニットとして連結して製作されている。同様にして耐刃防御衣料も複数の耐刃防御部材を組合せて連結し、あるいは複数の耐刃板を構成ユニットとして連結して製作されている。
【０００３】
これらの部材や衣料は、従来から前記の求めに応じて各種の部材や衣料が提案されている。最近では、例えば、特開２００１−０１２８９９号公報に、周縁部に複数の連結用リベット孔が設けられた金属板小片を、リベット孔を重ね合わせ連通させて所要の形状に配列しリベットを挿通して緩くかしめて、連結部が可動性を保持できるように連結した耐刃防護板が開示されている。
【０００４】
【特許文献１】特開２００１−０１２８９９号公報
【発明の開示】
【発明が解決しようとする課題】
【０００５】
上記の様に耐刃防御部材やそれを利用した耐刃防御衣料は、日進月歩しているものの耐刃性と機動性、着用性という相反する要請を共に満足させることは容易ではなく、未だ満足できる部材や衣料は提供されていない。従来の耐刃防御部材等は、重くて疲れやすい、構成部材の動きが身体動作に追従できず機動性の向上を求められるなど、未解決の課題が残されている。これらの課題を解決するための最重要ポイントの一つが機動性、軽量化の求められている耐刃板の連結手段にある。最近、本出願人はボルトやリベットに替え、連結する耐刃板の数に応じた形状の板状ジョイントを用い、角形の耐刃板をその角部で連結した耐刃防御部材を完成した。そして、互いに重なる部分を切除し、切除によって生じた開口部に前記のジョイントを被せ、耐刃板同士を掛け繋ぐことによって軽量で機動性に優れた耐刃防御部材を創作し開示することにした。その後、強力な衝撃を受けた場合、衝撃を受けた位置、衝撃力の方向によっては折り曲げたジョイントが変形し耐刃板の連結が緩む恐れのあることが判った。本願発明は、さらに耐刃性と機動性を向上させ軽量化することを目的に、研究し試行錯誤の結果、完成したものである。
【０００６】
なお、耐刃防御性は、落下衝撃試験機（大栄科学（株）製）を用い、仕事量が２５Ｊにおける刃物の貫通厚さを測定し比較することにより確認した。刃物にはアイスピック、バタフライナイフ、出刃包丁を用い、各刃物に落下治具を取り付けて総重量が１．７ｋｇになるようにし１．５ｍの高さから自由落下させて仕事量を調整した。試料の耐刃防御部材の下側には油粘土を敷いて固定した。
【課題を解決するための手段】
【０００７】
前記の課題を解決するために完成した本発明は、とくに耐刃板の連結手段に特長を有する耐刃防御部材及び耐刃防御衣料である。すなわち、構成ユニットである角形の耐刃板が複数枚連結されている耐刃板連結領域において、互いに連結するための連結孔を設けた耐刃板をそれぞれ所定の位置に配列し、配列された耐刃板の連結孔に連通する連結孔を設けたジョイントワッシャを重ね、さらに前記耐刃板に対応する連結端部を形成した板状のジョイントを耐刃板側にあてがい、連結端部をそれぞれに対応する耐刃板及びジョイントワッシャの連結孔に挿通して折り曲げ、耐刃板を相互に繋ぎ止めることによって、ジョイント、各耐刃板及びジョイントワッシャが、所要の重ね代を保持し平面的な隙間を生じさせることなくルーズに連結されて構成されている。
【０００８】
また、ジョイントワッシャは独立部品として製作し用いてもよいが（以下、「独立ワッシャ」ともいう）、連結される耐刃板のうち一枚の連結部に耐刃板と一体にして形成することもできる（以下、「一体ワッシャ」ともいい、単に「ワッシャ」というときは前記両ワッシャを含む）。また、通常、四角形の耐刃板を主体にその周縁を重ねて碁盤の目状に配列し、交叉する位置を連結領域として耐刃板同士の重なる部分を切除し、先端を連結端とする十字形のジョイントを用いて耐刃板を相互に連結するとよい。切除部分はワッシャ及び／又はジョイントで覆って耐刃防御する。
【発明の効果】
【０００９】
本発明に係る耐刃防御部材および耐刃防御衣料は、耐刃板がボルトやリベット等を使用する重ね接ぎをせずに、板状のジョイントを用いて繋ぎ止められているので、耐刃板の連結部を重ね合わせて貫通孔を設ける必要がなく耐刃板周縁部の重ね幅を防刃に必要な最小限に留めることができる。そして、ワッシャを用いることにより、衝撃によるジョイントの変形が防止され、連結領域における耐刃性が向上する。さらに、耐刃板が過大に重なる部分を切除し、切除部分からの刃物の侵入についても、侵入の可能性がある部分をジョイント及び／又はワッシャで覆うことによって防御できる。その結果、本発明耐刃防御部材及び耐刃防御衣料は、課題であった耐刃板連結領域の耐刃防御性が向上し、また合理的に構成されて軽く、身体動作に伴う摺動抵抗が低減し、着用性に優れ機動性のあるものとなる。とくに、ワッシャを耐刃板と一体化することによりその耐衝撃性が増大され、本発明の効果を大きく奏させることができる。
【発明を実施するための最良の形態】
【００１０】
以下、本発明を実施するための形態について具体例を挙げながら図面を参照して説明する。本発明に係る耐刃防御部材等は、耐刃板連結領域が複数の耐刃板と耐刃板間を連結する板状のジョイント及びワッシャとからなる連結手段によって構成されている。図１（ａ）は、独立部品のジョイントワッシャ、すなわち独立ワッシャを用いた本発明耐刃防御部材の配列及び連結手段を例示する耐刃防御部材の表面展開図であり、（ｂ）は耐刃防御部材断面図である。図２（ａ）は図１（ａ）の裏面展開図であり（ｂ）は断面図である。なお、本発明において「表面」はワッシャを重ねた面、「裏面」は、表面の裏側、すなわちジョイントをあてがった面を示すものとする。
【００１１】
さて、耐刃板１が連結されている領域３は、連結孔４を設けた耐刃板１がそれぞれ所定の位置に配列され、連結孔４に連通する連結孔５を設けた独立ワッシャ６を重ね、さらに耐刃板１に対応する数の連結端７を形成した板状のジョイント８を耐刃板１の側にあてがって、連結端７をそれぞれに対応する耐刃板１及び独立ワッシャ６の連結孔４，５に挿通して折り曲げ、耐刃板１を相互に繋ぎ止めることによって、ジョイント８、各耐刃板１、及び独立ワッシャ６が、所要の重ね代を保持し平面的な隙間を生じさせないでルーズに連結された、安全で軽く機動性に富んだ構成になっている。通常、連結孔４、５はスリット状に開孔する。図３に例示したのはそれぞれの角部分に４孔のスリット状連結孔を有する４角形の耐刃板である。
【００１２】
本発明においては、ジョイントワッシャを耐刃板の片面に重ね、耐刃板側にジョイントをあてがい、その連結端部を連通する両者の連結孔に挿通する「片面繋ぎ」が主流である。図１及び図２における例示は片面繋ぎである。図４には４枚の耐刃板を、図５には２枚の耐刃板を、いずれも独立ワッシャを用い片面繋ぎした耐刃板連結領域の構成を例示した。さらに、図４に例示された連結手段に用いた独立ワッシャを図６（ａ）に、図５に例示された連結に用いた独立ワッシャを図６（ｂ）に示した。図７に示したのは、４枚の耐刃板を繋ぐ十字形ジョイントの連結端部を片面繋ぎによって連結孔に挿入するために折り曲げた状態である。なお、本発明において「ルーズに連結する」は、耐刃防御部材に危険な空隙部（露出部）を生じさせないで、使用時に要求される耐刃性を有し、かつ必要な機動性を付与する連結状態を意味する。
【００１３】
本発明においては、必要によりジョイントワッシャを両面に重ね、ジョイントの連結端部を二手に分けてそれぞれの面に配設された連結孔に挿通して耐刃板を繋ぐ「両面繋ぎ」を採用することができる。両面繋ぎの構成に関し、耐刃板連結領域の具体例を図８に示した。例示された耐刃板連結領域では、それぞれ所定の位置に２枚ずつ表裏２層に区別して配列された４枚の耐刃板９，１０の間に、前記耐刃板に対応する数の連結端部１１を形成した板状のジョイント１２を挟んであてがい、耐刃板の連結孔のそれぞれに連通する連結孔を設けた独立ワッシャ１３，１４を２層に配置された耐刃板９，１０の外面側に重ね、連結端部１１をそれぞれに対応する耐刃板９，１０及び独立ワッシャ１３，１４の連結孔に挿通して折り曲げ、４枚の耐刃板９，１０を相互に繋ぎ止める。両面繋ぎ用に折り曲げられたジョイント１２、各耐刃板９，１０及び独立ワッシャ１３，１４が所要の重ね代を保持し平面的な隙間を生じさせないで耐刃性を損なわずにルーズに連結されている。
【００１４】
以下、主として片面繋ぎを例示しつつ具体的に説明する。両面繋ぎであっても片面繋ぎに準じて実施することができる。さて、本発明は、前記の独立ワッシャに替え、連結されるいずれかの耐刃板の連結部にジョイントワッシャを一体化して板状に形成し、すなわち、一体ワッシャに形成して、残る他の耐刃板の連結部に一体ワッシャを重ね配列して耐刃板が繋がれ、連結されていることを特徴とする、耐刃防御部材を開示する。耐刃板と一体ワッシャとの組合せには多くのパターンがある。図９、図１０、図１１に前記のワッシャ付耐刃板を例示した。また、図１２はワッシャ付耐刃板を用いた本発明耐刃防御部材の配列及び連結手段を例示する表面展開図及び断面図である。裏面の形状は独立ワッシャを用いた図２に示される形状に同じである。ワッシャ付耐刃板を利用して４枚の耐刃板を繋ぎ連結する態様を図１３に例示した。ジョイントワッシャを耐刃板に一体化することにより、耐刃防御部材等の軽量化と耐衝撃性の向上とを図ることができる。
【００１５】
図９に示した４角形の耐刃板の各角部にワッシャを一体化したワッシャ付耐刃板は、図１２や図１４に例示されるように、一体ワッシャをもたない耐刃板と組み合わせ碁盤状に配列するパターンに便利である。図１０、図１１に示したワッシャ付耐刃板も適宜に組み合わせて便利に利用することができる。耐刃板の辺の部分に一体ワッシャを設けて利用してもよい。
【００１６】
耐刃板は、互いに角の部分を連結部として連結孔を設けてワッシャを重ね、耐刃板側からジョイントの連結端部を挿通し各耐刃板同士を相互に繋ぎ止めることが望ましい。連結部分の数を少なく軽量にして耐刃板相互の可動性が高められる。耐刃板の一辺が長い場合にはその中間に連結部を設けて耐刃性が低下するのを防止することが望ましい。
【００１７】
本発明耐刃防御部材では、耐刃板がワッシャをあてがい板状のジョイントにより掛け繋がれているので、耐刃板が重なり合う部分の一部又は全部を切除し軽量化を図ることができる。切除によって連結部に生じる開口部は、耐刃防御機能が低下しないようにジョイント及び／又はワッシャを当該部分に被せ、所要の重ね代を設けて開口部を塞ぎ、平面的に隙間なく耐刃板等を重ね連結して耐刃性を保つ。
【００１８】
本発明に使用するジョイントの形状は、掛け繋ぐ耐刃板の枚数、配置等に合わせて適宜に設計することができる。しかし、基本的に掛け繋ぐ耐刃板の枚数と少なくとも同数の連結端部を有するジョイントを使用する。対象となる連結端部の数により、先端部を連結端部とする矩形、Ｌ字形、Ｔ字形、十字形又は放射状の板状体のものが利用しやすい。適当な形状のジョイントを選択すれば、その連結端部を耐刃板及びワッシャに形成したスリット状の連結孔に挿通し折り曲げて、３枚以上の耐刃板であっても一枚のジョイント及び一枚のワッシャによってを繋ぎ止め、容易にルーズに連結することができる。
【００１９】
耐刃防御部材は、通常、正方形又は矩形の耐刃板を碁盤の目状に配列し互いに連結して製作される。必要により周辺部などには梯形、三角形等異形の耐刃板を配列する。各耐刃板の大きさ、縦、横の長さは使用位置等によって適宜に選定し、組み合わせて配列することができる。その好ましい連結例を具体的に説明すると、連結領域において４枚の防刃板の連結部分が重なり合い十字に交叉連結される部分では、各耐刃板が重なる部分を切除し、切除部分に沿ってスリット状の連結孔を設け、切除によって生じる開口部を覆うに足りる大きさのワッシャ及び／又は４つの連結端を有する十字型のジョイントを重ね、それぞれ連結端を防刃板及びワッシャの連結孔に挿通し折り曲げて各耐刃板をジョイントを介し相互に掛け繋ぐことによって、開口部を塞ぎ４枚の耐刃角形板をルーズに連結して、所要の面形状に構成する。耐刃板の形状や配列は前記のものに限定されるものではない。例えば、六角形の耐刃板を亀の甲状に配列することもできる。使用目的によって異形部材を組み込む場合には、その形状に応じて前記或いはそれ以外の形状や配列を適宜に組み合わせて製作し使用すればよい。
【００２０】
また、使用中に耐刃防御衣料の周縁から刃物が滑り出して身体を傷つけるのを防御するために、耐刃防御衣料の周縁に沿って耐刃板の縁にリブ１７ａを設けることが望ましい。また、防刃板面を滑って重ねた耐刃板の間から刃物が侵入するのを防ぐために、重ねた耐刃板のいずれか一方又は双方にリブ１７ｂを設けて防護する。従って、リブ１７ｂは、使用部位によって双方から互いに向かい合う方向にリブを設けることもある。これらのリブ１７ａ、１７ｂの必要性、位置、長さ、耐刃板基準面から方向、形状等は、使用される部位により適宜に設定すればよい。多くの場合、試作品によるテストや経験により設計することになる。
【００２１】
耐刃板を耐刃防御衣料等に利用するに際し、内面側におけるジョイントの連結端部による違和感を軽減し、あるいは耐刃防御衣料等の外観を改善するために、耐刃板の中央部に段差を付けた台状の凸状領域１８を設けることがある。凸状領域１８の位置、段差の程度、表面側か背面側か等については特段の制限はなく、着用感、外観等によって適宜に決めればよい。なお、耐刃板の中央部に段差を付けた台状の凸状領域１８を設けることは最も好ましい態様であるが、凸状領域のみならず平板状や凹状領域のものであってもよく、これらの態様のものも本発明の範囲に含まれる。
【００２２】
耐刃板もしくは耐刃防御部材は、耐刃防御衣料を身体に密着させるため、身体に沿った方向に曲面を形成しておくとよい。具体的には、所要の方向に、好ましくは１００Ｒ〜６００Ｒの範囲の、曲げ加工が施された耐刃板を、曲げ方向を揃え滑らかな曲面を形成するように配列する。さらに、着用性を向上する目的で複数の小さな通気孔１９を設けることもできる。
【００２３】
また、耐刃板、ワッシャ及び／又はジョイントの素材には、耐刃性、適宜の加工性があり軽い材料を選択する。一般には金属、なかでもチタン、チタン合金、アルミニウム合金及びステンレス鋼が好適である。とくにチタン、チタン合金が優れている。
【００２４】
本発明に係る耐刃防御部材を使用して製作された耐刃防御衣料は、本発明の課題を解決するものとして大きく進歩したものとなる。耐刃防御衣料の一例として図１４に防刃チョッキの前面側表面展開図を示した。防刃性に優れることは勿論、製作、組合せが容易で身体動作に追従しやすい耐刃防御部材、耐刃防御衣料を組み立てられる利点がある。
【産業上の利用可能性】
【００２５】
本発明に係る耐刃防御部材及び耐刃防御衣料、例えば図１４に示した防刃チョッキは、耐刃板が碁盤の目状に連結されて細部にわたり耐刃性向上の配慮がなされているとともに、軽量で、身体の動作に対する摺動抵抗が小さく、機動性に優れているので、警察官、ガードマン等が手軽に広く利用することができる。本発明耐刃防御部材は、耐刃板の配列・重ね方、独立ワッシャを利用するケース、ワッシャ付耐刃板を利用するケース、両者を混用するケース、さらには耐刃板の一体ワッシャ配置パターン、表層と裏層を千鳥に配する２層方式や羽重ね（よろい張り）など極めて多様であり、目的、適合性により適宜に選択することができる。
【図面の簡単な説明】
【００２６】
【図１】独立ワッシャを用いた片面繋ぎの本発明耐刃防御部材の配列及び連結手段            を例示する表面の展開図及び断面図
【図２】図１に例示した本発明耐刃防御部材裏面の展開図及び断面図
【図３】耐刃板の一例
【図４】４枚の耐刃板を独立ワッシャを用い片面繋ぎする耐刃板連結領域の構成例            を示す図
【図５】２枚の耐刃板を独立ワッシャを用い片面繋ぎする耐刃板連結領域の構成例            を示す図
【図６】独立ワッシャの具体例
【図７】４枚の耐刃板を繋ぐ十字形ジョイントの連結端部を、片面繋ぎによって連            結孔に挿入するために折り曲げた状態を示す図
【図８】４枚の耐刃板を十字形ジョイントを用い両面繋ぎする耐刃板連結領域の構            成例を示す図
【図９】ワッシャ付耐刃板の一例
【図１０】ワッシャ付耐刃板の一例
【図１１】ワッシャ付耐刃板の一例
【図１２】ワッシャ付耐刃板を用いた本発明耐刃防御部材の配列及び連結手段を            例示する表面展開図及び断面図
【図１３】ワッシャ付耐刃板を利用した連結態様
【図１４】耐刃防御衣料の一例を示す表面展開図及び断面図
【符号の説明】
【００２７】
１：耐刃板                            ２：隣接する耐刃板が重なり合う周縁部
３：耐刃板連結領域                    ４：耐刃板の連結孔
５：ジョイントワッシャの連結孔        ６：ジョイントワッシャ
７：ジョイントの連結端部              ８：ジョイント
９：表層の耐刃板                    １０：裏層の耐刃板
１１：両面繋ぎの連結端部              １２：両面繋ぎのジョイント
１３：表層耐刃板側に重ねたワッシャ    １４：裏層耐刃板側に重ねたワッシャ
１５：一体ワッシャ                    １６：一体ワッシャ付の耐刃板
１７ａ：耐刃防御衣料の周縁に沿って耐刃板に設けたリブ
１７ｂ：耐刃板の周縁に設けられたリブ
１８：段差を付けた台地状領域            １９：通気孔
【図１】
2006125796.tif 000003
【図２】
2006125796.tif 000004
【図３】
2006125796.tif 000005
【図４】
2006125796.tif 000006
【図５】
2006125796.tif 000007
【図６】
2006125796.tif 000008
【図７】
2006125796.tif 000009
【図８】
2006125796.tif 000010
【図９】
2006125796.tif 000011
【図１０】
2006125796.tif 000012
【図１１】
2006125796.tif 000013
【図１２】
2006125796.tif 000014
【図１３】
2006125796.tif 000015
【図１４】
2006125796.tif 000016